(57)【要約】【課題】通常のマッサージ用のエアバッグ以外に人体保持用エアバッグを設けることなく、使用者の位置決及びマッサージを良好に実施できるマッサージ方法を提供すること。【解決手段】マット本体１１上の左右一対の側部エアバッグ（エアバッグＡ５，Ａ６又はＡ１１，Ａ１２若しくはＡ１３，Ａ１４或いはＡ７，Ａ８、Ａ９，Ａ１０等）をエア給排気手段（給排気装置２０）で膨張させて前記一対の側部エアバッグ間に位置決凹部（１２，１３，１４等）を形成させ、前記位置決凹部（１２，１３，１４等）に使用者が横たわった後に、前記左右一対の側部エアバッグ（エアバッグＡ５，Ａ６又はＡ１１，Ａ１２若しくはＡ１３，Ａ１４或いはＡ７，Ａ８、Ａ９，Ａ１０等）と前記左右一対の側部エアバッグ（エアバッグＡ５，Ａ６又はＡ１１，Ａ１２若しくはＡ１３，Ａ１４或いはＡ７，Ａ８、Ａ９，Ａ１０等）間の背筋用エアバッグ（エアバッグＡ２）を膨縮させて使用者の身体をマッサージするマッサージ方法。【選択図】  図４
2005168955.tif 000002
【特許請求の範囲】
【請求項１】
マット本体上の左右一対の側部エアバッグをエア給排気手段で膨張させて前記一対の側部エアバッグ間に位置決凹部を形成させ、前記位置決凹部に使用者が横たわった後に、前記左右一対の側部エアバッグと前記左右一対の側部エアバッグ間の背筋用エアバッグを膨縮させて使用者の身体をマッサージすることを特徴とするマッサージ方法。
【請求項２】
前記位置決凹部に使用者が横たわって位置決した後に前記側部エアバッグを一旦収縮させて、次に少なくとも前記側部エアバッグを膨縮させて使用者の身体をマッサージすることを特徴とする請求項１に記載のマッサージ方法。
【発明の詳細な説明】
【技術分野】
【０００１】
この発明は、マット本体上の左右の側部エアバッグ間に背筋用エアバッグを設けたマット式のマッサージ装置でマッサージするマッサージ方法に関するものである。
【背景技術】
【０００２】
従来のマット式のエアマッサージ装置には、マット本体の左右の中央部上に細長く延びる背筋用エアバッグを配設し、背筋用エアバッグと略同じ長さの一対の人体保持用エアバッグを背筋用エアバッグと左右に間隔を置いて平行に配設すると共に、この背筋用エアバッグと左右の人体保持用エアバッグとの間の背中に対応する部分に背中用側部エアバッグをそれぞれ配設し、背筋用エアバッグと左右の人体保持用エアバッグとの間の腰に対応する部分に腰用側部エアバッグをそれぞれ配設したタイプのものが知られている（例えば、特許文献１参照）。
【０００３】
このマッサージ装置では、はじめに左右一対の人体保持用エアバッグを膨張させ、この人体保持用エアバッグの膨張状態を他のエアバッグによるマッサージが終了するまで継続させることにより、左右一対の人体保持用エアバッグで使用者が適正位置からずれないようにしている。
【特許文献１】特開平１０−５７４３６号公報（段落番号「００５０」）
【発明の開示】
【発明が解決しようとする課題】
【０００４】
しかしながら、このようなマッサージ装置にあっては、使用者が適正な位置からずれないようにするために、通常のマッサージをする側部エアバッグとは別途位置決専用の人体保持用エアバッグを設けていた。このため、人体保持用エアバッグや人体保持用エアバッグへのエアの給排気をする電磁弁等の部品が増え、コスト高になるという問題があった。
【０００５】
そこで、この発明は、通常のマッサージ用のエアバッグ以外に人体保持用エアバッグを設けることなく、使用者の位置決及びマッサージを良好に実施できるマッサージ方法を提供することを目的とするものである。
【課題を解決するための手段】
【０００６】
この目的を達成するため、この発明は、マット本体上の左右一対の側部エアバッグをエア給排気手段で膨張させて前記一対の側部エアバッグ間に位置決凹部を形成させ、前記位置決凹部に使用者が横たわった後に、前記左右一対の側部エアバッグと前記左右一対の側部エアバッグ間の背筋用エアバッグを膨縮させて使用者の身体をマッサージするマッサージ方法としたことを特徴とする。
【発明の効果】
【０００７】
この構成によれば、通常のマッサージ用のエアバッグ以外に人体保持用エアバッグを設けることなく、使用者の位置決及びマッサージを良好に実施できる。この結果、人体保持用エアバッグや人体保持用エアバッグへのエアの給排気をする電磁弁等の部品が不要となるので、従来よりも低コストで使用者の位置決及びマッサージを良好に実施できる。
【発明を実施するための最良の形態】
【０００８】
以下、この発明に係るエアマッサージ装置（マット式マッサージ装置）の実施例を図面に基づいて説明する。
【実施例】
【０００９】
図１に示すエアマッサージ装置１０は、マット本体１１と、このマット本体１１に配設された複数のエアバッグＡ１〜Ａ１４と、各エアバッグＡ１〜Ａ１４のエアを給排気する給排気装置２０と、リモートコントロール装置（リモコン装置）３０とを備えている。
【００１０】
マット本体１１は、例えばウレタンホームからなるクッション材で構成され、このクッション材は各エアバッグＡ１〜Ａ１４とともに図示しないカバーによって覆われている。
【００１１】
マット本体１０の下部（図１において）には給排気装置（エア給排気手段）２０が設けられており、その下部の左側に給排気装置２０の駆動部２０Ａが設けられ、その下部の右側に給排気装置２０の制御部２０Ｂが設けられている。この駆動部２０Ａおよび制御部２０Ｂは上記カバーによって覆われている。
【００１２】
エアバッグＡ１は人体の肩に対応した位置に配置されている。また、エアーバックＡ２は、人体（使用者）の背筋に対応するように、マット本体１１の中心線Ｌに沿って細長く延びている。
【００１３】
エアバッグＡ３は人体の太股に対応した位置に配置され、エアバッグＡ４は人体の脹ら脛に対応した位置に配置され、エアバッグ（腰大エアバッグ）Ａ５,Ａ６は人体の腰に対応した位置に配置され大きく形成されている。
【００１４】
エアバッグＡ５,Ａ６は、図１に示したように、中心線Ｌに対して左右対称の位置に配置されていると共に、エアバッグＡ２の両側に位置し、平面視でエアバッグＡ５,Ａ６の一部がエアバッグＡ２の下側に重なっている（図２（ｂ）参照）。
【００１５】
エアバッグＡ７〜Ａ１０は、図１に示したように、人体の背中に対応した位置に近接配置されている。このエアバッグＡ７,Ａ９とエアバッグＡ８,Ａ１０は中心線Ｌに対して左右対称位置に配置され、エアバッグＡ７〜Ａ１０は中心線Ｌ側の一部がエアバッグＡ２の下側に重なっている（図２（ａ）参照）。
【００１６】
エアバッグ（腰小エアバッグ）Ａ１１〜Ａ１４は、図１に示したように人体の腰に対応しており、エアバッグＡ５,Ａ６より小さく形成され、エアバッグＡ１１,Ａ１３とエアバッグＡ１２,Ａ１４とが中心線Ｌに対して左右対称位置に配置されている（図２（ｂ）参照）。
【００１７】
そして、図２（ｂ）に示すようにエアバッグＡ１１,Ａ１３がエアバッグＡ５の上に重ねられており、エアバッグＡ１２,Ａ１４がエアバッグＡ６の上に重ねられている。また、エアバッグＡ１１,Ａ１３の中心線Ｌ側の一部がエアバッグＡ２の下側に重ねられている。同様に、図２（ｂ）に示すようにエアバッグＡ１２,Ａ１４の中心線Ｌ側の一部がエアバッグＡ２の下側に重ねられており、エアバッグＡ５,Ａ６とエアバッグＡ１１〜Ａ１４とエアバッグＡ２とが３段重ねの状態になっている。
【００１８】
即ち、エアバッグＡ２の腰に対応する部分は、エアバッグＡ５，Ａ６の対向端部，エアバッグ１１，１２の対向端部及びエアバッグ１３，１４の対向端部上に３段になるように重ねられている。
【００１９】
給排気装置２０は、図３に示すように、エアーを給気するためのポンプ２１と、エアバッグＡ１〜Ａ１４を膨縮させるための電磁弁Ｖ１〜Ｖ１４と、各電磁弁Ｖ１〜Ｖ１４を制御する制御装置（演算制御回路、制御手段）２２等とを備えている。
【００２０】
各電磁弁Ｖ１〜Ｖ１４は三方弁であり、各電磁弁Ｖ１〜Ｖ１４の弁が第１位置に切り換わるとエアバッグＡ１〜Ａ１４とポンプ２１とが連通して各エアバッグＡ１〜Ａ１４が膨張し、第２位置に切り換わるとその連通路が閉成されて各エアバッグＡ１〜Ａ１４が膨張した状態に維持され、第３位置に切り換わると各エアバッグＡ１〜Ａ１４は外気に連通されて各エアバッグＡ１〜Ａ１４の排気が行われて各エアバッグＡ１〜Ａ１４は収縮していくようになっている。
【００２１】
そして、ポンプ２１と電磁弁Ｖ１〜Ｖ１４が図１に示す駆動部２０Ａに配置され、制御装置２２と図示しない電源回路等が制御部２０Ｂに配置されている。
［動  作］
次に、上記のように構成されるエアマッサージ装置１０の動作について説明する。なお、全てのエアバッグＡ１〜Ａ１４は収縮されており、各電磁弁Ｖ１〜Ｖ１４は第３位置に切り換わっていて各エアバッグＡ１〜Ａ１４は外気に連通されているものとする。
（１）位置決マッサージ例１
先ず、リモコン装置３０のモードスイッチ（図示せず）を操作して例えば腰施療モード又は背中施療モード若しくは背筋施療モード等のいずれかを設定すると、ポンプ２１が駆動されると共に、電磁弁Ｖ５，Ｖ６、Ｖ７〜Ｖ１０が制御装置２２により制御されて第１位置に切り換えられる。
【００２２】
この電磁弁Ｖ５,Ｖ６の第１位置への切り換えにより図４に示すようにエアバッグＡ５,Ａ６が膨張されていく。そして、エアバッグＡ５,Ａ６が所定量膨張すると、ポンプ２１の動作が停止されると共に、電磁弁Ｖ５，Ｖ６が第２位置に保持されて、左右のエアバッグＡ５，Ａ６の膨張状態が保持される。このエアバッグＡ５,Ａ６の膨張により、左右のエアバッグＡ５，Ａ６間に位置決凹部１２が形成される。
【００２３】
また、電磁弁Ｖ７〜Ｖ１０の第１位置への切り換えにより図７に示すようにエアバッグＡ７〜Ａ１０が膨張されていく。そして、エアバッグＡ７〜Ａ１０が所定量膨張すると、ポンプ２１の動作が停止されると共に、電磁弁Ｖ７〜Ｖ１０が第２位置に保持されて、エアバッグＡ７〜Ａ１０の膨張状態が保持される。このエアバッグＡ７〜Ａ１０の膨張により、左右のエアバッグＡ７，Ａ８間及び左右のエアバッグＡ９，Ａ１０間に位置決凹部１３が形成される。
【００２４】
従って、使用者は、図４に示したように位置決凹部１２の略中央に腰Ｋを配置すると共に、図７に示したように位置決凹部１３の略中央に背中Ｓを配置するように、仰向けにマット本体１１上に横たわる。これにより、腰ＫがエアバッグＡ５,Ａ６間で左右方向に対して位置決され、背中Ｓが左右のエアバッグＡ７，Ａ８間及び左右のエアバッグＡ９，Ａ１０間で位置決めされる。
【００２５】
ここで、リモコン装置３０のモードスイッチ（図示せず）による選択が例えば腰施療モードの場合において、スタートスイッチ（図示せず）を押すと、電磁弁Ｖ５，Ｖ６は第２位置に保持された状態を維持して、腰用の大きなエアバッグＡ５,Ａ６は膨張した状態を維持すると共に、電磁弁Ｖ１１〜Ｖ１４が制御装置２２により制御されて第１位置に切り換えられる。
【００２６】
この電磁弁Ｖ１１〜Ｖ１４の第１位置への切り換えにより図５に示すようにエアバッグＡ１１〜Ａ１４が膨張されていき、腰Ｋはさらに鎖線で示す位置へ持ち上げられて背中は大きく反っていき、背筋は延ばされていく。
【００２７】
このエアバッグＡ１１〜Ａ１４が所定時間膨張されると、電磁弁Ｖ１１〜Ｖ１４は第２位置に切り換えられてエアバッグＡ１１〜Ａ１４の膨張が停止されるとともにその膨張が維持される。
【００２８】
次いで、電磁弁Ｖ２が制御装置２２により制御されて第１位置に切り換えられる。電磁弁Ｖ２の第１位置への切り換えにより図６に示すようにエアバッグＡ２が膨張されていき、腰Ｋはさらに鎖線で示す位置へ持ち上がられて背中はさらに大きく反っていき、背筋が大きく延ばされていく。
【００２９】
エアバッグＡ２が所定時間膨張されると、電磁弁Ｖ２は第２位置に切り換えられてエアバッグＡ２の膨張が停止されるとともにその膨張が維持される。
【００３０】
このように、エアバッグＡ５,Ａ６,Ａ１１〜Ａ１４,Ａ２が順番に膨張されていくので、腰をゆっくりと高く持ち上げていくことができ、このため背筋を徐々に大きく延ばすことができ、十分なストレッチ感を得ることができる。
【００３１】
また、エアバッグＡ２の膨張が所定時間維持されると、電磁弁Ｖ２が第３位置に切り換えられてエアバッグＡ２が図５の如く収縮され、電磁弁Ｖ１１〜Ｖ１４が第３位置に切り換えられてエアバッグＡ１１〜Ａ１４が図４の如く収縮され、最後に電磁弁Ｖ５,Ｖ６が第３位置に切り換えられてエアバッグＡ５,Ａ６が図２（ｂ）の如く収縮される。
【００３２】
この後は、エアバッグＡ５，Ａ６、エアバッグＡ１１〜Ａ１４、エアバッグＡ２の順に膨張させた後、エアバッグＡ２、エアバッグＡ１１〜Ａ１４、エアバッグＡ５，Ａ６の順に収縮させる動作を繰り返して、腰Ｋのマッサージを行わせる。
【００３３】
このように使用者の身体をエアバッグＡ５,Ａ６,Ａ１１〜Ａ１４,Ａ２でマッサージする前に、エアバッグＡ５，Ａ６で使用者のエアバッグに対する位置決ができるので、エアバッグＡ５,Ａ６,Ａ１１〜Ａ１４,Ａ２を順番に膨張又は収縮してマッサージしても、使用者の身体が左右にずれるのを防止できる。
【００３４】
尚、位置決凹部１２への腰Ｋの位置決後に、エアバッグＡ５，Ａ６を一旦収縮させて、エアバッグＡ５，Ａ６、エアバッグＡ１１〜Ａ１４、エアバッグＡ２をこの順に膨張させた後、エアバッグＡ２、エアバッグＡ１１〜Ａ１４、エアバッグＡ５，Ａ６をこの順に収縮させる動作を繰り返して、腰Ｋのマッサージを行わせるようにしてもよい。
【００３５】
また、上述したエアバッグＡ５，Ａ６、エアバッグＡ１１〜Ａ１４、エアバッグＡ２の膨張・収縮（膨縮）によるマッサージの開始にスタートスイッチを用いているが、マッサージのモード設定後に一定時間（例えば、３０秒〜６０秒）経過したときに、上述したマッサージ動作を開始させるようにしても良い。後述するマッサージ例でも同様にマッサージのモード設定後に一定時間（例えば、３０秒〜６０秒）経過したときに、マッサージ動作を開始させるようにしても良い。
（２）位置決マッサージ例２
次に、腰に対する捻り施療モードが設定された場合について説明する。
【００３６】
リモコン装置３０により腰の捻り施療モードが設定されると、ポンプ２１が駆動されると共に、電磁弁Ｖ７〜Ｖ１０、Ｖ１１〜Ｖ１４が制御装置２２により制御されて第１位置に切り換えられる。
【００３７】
この電磁弁Ｖ７〜Ｖ１０の第１位置への切り換えにより図７に示すようにエアバッグＡ７〜Ａ１０が膨張されていく。そして、エアバッグＡ７〜Ａ１０が所定量膨張すると、ポンプ２１の動作が停止されると共に、電磁弁Ｖ７〜Ｖ１０が第２位置に保持されて、左右のエアバッグＡ７〜Ａ１０の膨張状態が保持される。このエアバッグＡ７〜Ａ１０の膨張により、図７に示したように左右のエアバッグＡ７〜Ａ１０間に位置決凹部１３が形成される。
【００３８】
また、電磁弁Ｖ１１〜Ｖ１４の第１位置への切り換えにより図８に示すようにエアバッグＡ１１〜Ａ１４が膨張されていく。そして、エアバッグＡ１１〜Ａ１４が所定量膨張すると、ポンプ２１の動作が停止されると共に、電磁弁Ｖ１１〜Ｖ１４が第２位置に保持されて、エアバッグＡ１１〜Ａ１４の膨張状態が保持される。このエアバッグＡ１１〜Ａ１４の膨張により、エアバッグＡ１１，Ａ１２間及びエアバッグＡ１３，Ａ１４間に位置決凹部１４が形成される。
【００３９】
従って、使用者は、図８に示したように位置決凹部１４の略中央に腰Ｋを配置すると共に、図７に示したように位置決凹部１３の略中央に背中Ｓを配置するように、仰向けにマット本体１１上に横たわる。これにより、腰ＫがエアバッグＡ１１，Ａ１２間及びエアバッグＡ１３，Ａ１４間で左右方向に対して位置決され、背中Ｓが左右のエアバッグＡ７，Ａ８間及び左右のエアバッグＡ９，Ａ１０間で位置決めされる。
【００４０】
次にスタートスイッチ（図示せず）を押すと、電磁弁Ｖ７〜Ｖ１０，Ｖ１１〜Ｖ１４が第２位置に保持された状態が維持されて、エアバッグＡ７〜Ａ１０，Ａ１１〜Ａ１４の膨張が維持されていると共に、電磁弁Ｖ６が制御装置２２により制御されて第１位置に切り換えられる。これにより、図９に示すようにエアバッグＡ６が膨張されて、このエアバッグＡ６の膨張により体が捻られていく。この後、エアバッグＡ６が所定時間膨張されると、電磁弁Ｖ６が第３位置に切り換えられてエアバッグＡ６が収縮されていき、体が元の状態に戻されていく。
【００４１】
エアバッグＡ６が収縮されると電磁弁Ｖ５が第１位置に切り換えられて図１０に示すようにエアバッグＡ５が膨張されていく。このエアバッグＡ５の膨張により上記と逆方向に体が捻られていく。エアバッグＡ５が所定時間膨張されると、電磁弁Ｖ５が第３位置に切り換えられてエアバッグＡ５が収縮されていき、体が元の状態に戻されていく。
【００４２】
そして、これら動作が繰り返し行われていく。すなわち、エアバッグＡ６,Ａ５が交互に膨縮されていき、このエアバッグＡ６,Ａ５の膨縮により体が交互に捻られて、ストレッチが行われていく。体が捻られる際、膨張を維持しているエアバッグＡ１１〜Ａ１４により腰が保持されているので、エアバッグＡ６（Ａ５）の膨張によって体が横へズレてしまうことが防止され、体を確実に捻ることができ、ストレッチを確実に行うことができる。
【００４３】
エアバッグＡ６,Ａ５の膨縮が所定回数行われると、最後に膨張したエアバッグＡ５（Ａ６）が収縮されていき、この後エアバッグＡ７〜Ａ１０及びエアバッグＡ１１〜Ａ１４が収縮されて捻り施療モードは終了する。
【００４４】
このように、エアバッグＡ７〜Ａ１０及びエアバッグＡ１１〜Ａ１４が最後まで膨張しているので、エアバッグＡ５，Ａ６が交互に膨張・収縮させられても、身体が横にズレてしまうことがない。
（３）位置決マッサージ例３
先ず、リモコン装置３０のモードスイッチ（図示せず）を操作して例えば背中施療モードを設定すると、ポンプ２１が駆動されると共に、電磁弁Ｖ５，Ｖ６、Ｖ７〜Ｖ１０が制御装置２２により制御されて第１位置に切り換えられる。
【００４５】
この電磁弁Ｖ５,Ｖ６の第１位置への切り換えにより図４に示すようにエアバッグＡ５,Ａ６が膨張されていく。このエアバッグＡ５,Ａ６の膨張により、左右のエアバッグＡ５，Ａ６間に位置決凹部１２が形成される。
【００４６】
また、電磁弁Ｖ７〜Ｖ１０の第１位置への切り換えにより図７に示すようにエアバッグＡ７〜Ａ１０が膨張されていく。このエアバッグＡ７〜Ａ１０の膨張により、左右のエアバッグＡ７，Ａ８間及び左右のエアバッグＡ９，Ａ１０間に位置決凹部１３が形成される。
【００４７】
従って、使用者は、図４に示したように位置決凹部１２の略中央に腰Ｋを配置すると共に、図７に示したように位置決凹部１３の略中央に背中Ｓを配置するように、仰向けにマット本体１１上に横たわる。これにより、腰ＫがエアバッグＡ５,Ａ６間で左右方向に対して位置決され、背中Ｓが左右のエアバッグＡ７，Ａ８間及び左右のエアバッグＡ９，Ａ１０間で位置決めされる。
【００４８】
尚、腰Ｋの位置決はエアバッグＡ１１，Ａ１２間及びエアバッグＡ１３，Ａ１４間で行うようにすることもできる。
【００４９】
次にスタートスイッチ（図示せず）を押すと、電磁弁Ｖ５〜Ｖ６が第２位置に保持された状態を維持して、エアバッグＡ５，Ａ６の膨張が維持されると共に、電磁弁Ｖ７〜Ｖ１０が制御装置２２により制御されて第３位置に切り換えられる。
【００５０】
これにより、エアバッグＡ７〜Ａ１０が収縮される。次に、電磁弁Ｖ７〜Ｖ１０が制御装置２２により制御されて第１位置に切り換えられて、エアバッグＡ７〜Ａ１０が膨張される。このようなエアバッグＡ７〜Ａ１０の膨張・収縮が繰り返されて、背中のマッサージが行われる。
【００５１】
この状態では、使用者の腰ＫがエアバッグＡ５，Ａ６により左右にずれないように位置決めされているので、エアバッグＡ７〜Ａ１０の膨張・収縮が繰り返されても、使用者の身体が左右にずれることはない。
【００５２】
尚、エアバッグＡ７，Ａ９の膨張・収縮とエアバッグＡ８，Ａ１０の膨張・収縮とを交互に行うようにすることもできる。この場合でも、使用者の腰ＫがエアバッグＡ５，Ａ６により左右にずれないように位置決めされているので、エアバッグＡ７〜Ａ１０の膨張・収縮が繰り返されても、使用者の身体が左右にずれることはない。
【００５３】
更に、エアバッグＡ７，Ａ８の膨張・収縮とエアバッグＡ９，Ａ１０の膨張・収縮を交互に行うことにより、背中のマッサージを行うようにすることもできる。この場合には、使用者の腰ＫがエアバッグＡ５，Ａ６により左右にずれないように位置決めされていると共に、エアバッグＡ７，Ａ８が膨張しているときにはエアバッグＡ９，Ａ１０が収縮し、エアバッグＡ７，Ａ８が収縮しているときにはエアバッグＡ９，Ａ１０が膨張しているので、エアバッグＡ７，Ａ８又はエアバッグＡ９，Ａ１０のいずれかで背中の位置決状態を保持でき、左右にずれることがない。
【００５４】
また、エアバッグＡ７，Ａ１０の膨張・収縮とエアバッグＡ８，Ａ９の膨張・収縮を交互に行うことにより、背中のマッサージを行うようにすることもできる。この場合には、使用者の腰ＫがエアバッグＡ５，Ａ６により左右にずれないように位置決めされていると共に、エアバッグＡ７，Ａ１０が膨張しているときにはエアバッグＡ８，Ａ９が収縮し、エアバッグＡ７，Ａ１０が収縮しているときにはエアバッグＡ８，Ａ９が膨張しているので、エアバッグＡ７，Ａ１０又はエアバッグＡ８，Ａ９のいずれかで背中の位置決状態を保持でき、左右にずれることがない。
【００５５】
更に、腰用のエアバッグＡ１１〜Ａ１４についても、背中用のエアバッグＡ７〜Ａ１０と同様に、エアバッグＡ１１，Ａ１４の膨張・収縮とエアバッグＡ１２，Ａ１３の膨張・収縮を交互に行うことにより、エアバッグＡ１１，Ａ１４又はエアバッグＡ１２，Ａ１３のいずれかで背中の位置決状態を保持しながら、エアバッグＡ１１，Ａ１４又はエアバッグＡ１２，Ａ１３でマッサージできる。
（その他）
以上説明した実施例では、腰ＫをエアバッグＡ５，Ａ６又はＡ１１〜Ａ１４で位置決めすると同時に背中ＳをエアバッグＡ７〜Ａ１０で位置決めして、背中側のエアバッグＡ７〜Ａ１０と背筋用のエアバッグＡ２又は腰側のエアバッグＡ５，Ａ６、Ａ１１〜Ａ１４と背筋用のエアバッグＡ２を用いてマッサージするようにしているが、必ずしもこれに限定されるものではない。
【００５６】
例えば、腰ＫのみをエアバッグＡ５，Ａ６又はＡ１１〜Ａ１４で位置決めして、腰側のエアバッグＡ５，Ａ１６、Ａ１１〜Ａ１４と背筋用のエアバッグＡ２を用いてマッサージするようにしても良い。
【００５７】
また、背中ＳのみをエアバッグＡ７〜Ａ１０で位置決めして、背中側のエアバッグＡ７〜Ａ１０と背筋用のエアバッグＡ２を用いてマッサージするようにしても良い。
【００５８】
以上説明したように、この発明の実施の形態のマッサージ方法は、マット本体１１上の左右一対の側部エアバッグ（エアバッグＡ５，Ａ６又はＡ１１，Ａ１２若しくはＡ１３，Ａ１４或いはＡ７，Ａ８、Ａ９，Ａ１０等）をエア給排気手段（給排気装置２０）で膨張させて前記一対の側部エアバッグ間に位置決凹部（１２，１３，１４等）を形成させ、前記位置決凹部（１２，１３，１４等）に使用者が横たわった後に、前記左右一対の側部エアバッグ（エアバッグＡ５，Ａ６又はＡ１１，Ａ１２若しくはＡ１３，Ａ１４或いはＡ７，Ａ８、Ａ９，Ａ１０等）と前記左右一対の側部エアバッグ（エアバッグＡ５，Ａ６又はＡ１１，Ａ１２若しくはＡ１３，Ａ１４或いはＡ７，Ａ８、Ａ９，Ａ１０等）間の背筋用エアバッグ（エアバッグＡ２）を膨縮させて使用者の身体をマッサージするようにしている。
【００５９】
この構成によれば、通常のマッサージ用のエアバッグ以外に人体保持用エアバッグを設けることなく、使用者の位置決及びマッサージを良好に実施できる。この結果、人体保持用エアバッグや人体保持用エアバッグへのエアの給排気をする電磁弁等の部品が不要となるので、従来よりも低コストで使用者の位置決及びマッサージを良好に実施できる。
【００６０】
また、この発明の実施の形態のマッサージ方法では、前記位置決凹部に使用者が横たわって位置決した後に前記側部エアバッグ（エアバッグＡ５，Ａ６又はＡ１１，Ａ１２若しくはＡ１３，Ａ１４或いはＡ７，Ａ８、Ａ９，Ａ１０等）を一旦収縮させて、次に少なくとも前記側部エアバッグ（エアバッグＡ５，Ａ６又はＡ１１，Ａ１２若しくはＡ１３，Ａ１４或いはＡ７，Ａ８、Ａ９，Ａ１０等）を膨縮させて使用者の身体をマッサージするようにしている。
【００６１】
この場合でも、使用者の身体の位置決を一旦行っているので、前記側部エアバッグ（エアバッグＡ５，Ａ６又はＡ１１，Ａ１２若しくはＡ１３，Ａ１４或いはＡ７，Ａ８、Ａ９，Ａ１０等）を膨縮することによるマッサージや、背筋用エアバッグの膨縮によるマッサージを行っても、使用者の身体がエアバッグに対してずれることがない。
【図面の簡単な説明】
【００６２】
【図１】この発明に係るマッサージ方法を実施するためのマット式のエアマッサージ装置の概略平面図である。
【図２】（ａ）は図１のＢ１−Ｂ１線に沿う断面図、（ｂ）は図１のＢ２−Ｂ２線に沿う断面図である。
【図３】図１に示したエアマッサージ装置の制御回路図である。
【図４】図１に示した腰マッサージ用のエアバッグの作用説明図である。
【図５】図１に示した腰マッサージ用のエアバッグの作用説明図である。
【図６】図１に示した腰マッサージ用のエアバッグの作用説明図である。
【図７】図１に示した背中マッサージ用のエアバッグの作用説明図である。
【図８】図１に示した腰マッサージ用のエアバッグの作用説明図である。
【図９】図１に示した腰マッサージ用のエアバッグの作用説明図である。
【図１０】図１に示した腰マッサージ用のエアバッグの作用説明図である。
【符号の説明】
【００６３】
１１…マット本体
１２，１３，１４…位置決凹部
２０…給排気装置（エア給排気手段）
Ａ２…エアバッグ（背筋用エアバッグ）
Ａ５，Ａ６…エアバッグ（側部エアバッグ）
Ａ７〜Ａ１０…エアバッグ（側部エアバッグ）
Ａ１１〜Ａ１４…エアバッグ（側部エアバッグ）
【図１】
2005168955.tif 000003
【図２】
2005168955.tif 000004
【図３】
2005168955.tif 000005
【図４】
2005168955.tif 000006
【図５】
2005168955.tif 000007
【図６】
2005168955.tif 000008
【図７】
2005168955.tif 000009
【図８】
2005168955.tif 000010
【図９】
2005168955.tif 000011
【図１０】
2005168955.tif 000012